(57)【要約】  デュアルモード動作機能を備えた通信ユニット（１０）は、第１のワイヤレスネットワーク（１６、１８、２０）上での別の通信ユニット（１２）との初期接続をサポートするための受信器（２０３、２０４）及び送信器（２０７、２０８）と、受信器及び送信器に結合され、受信器及び送信器を制御して初期接続を維持するとともに、別の通信ユニットにメッセージを送受信して、第２のワイヤレスネットワーク（１１）を経由する新規接続を実施するコントローラ（２０５）と、を備える。対応する方法は、初期接続に参加しながら（３０２）、新規接続の利用可能性を検出すること（３０４）、及び初期接続を介して通信ユニット間でメッセージを交換することにより新規接続を確立すること（３１０、３１２）を含む。
2007525062.tif 000002
【特許請求の範囲】
【請求項１】
通信ユニットに初期ネットワークからワイヤレスローカルエリアネットワークへのハンドインを、前記通信ユニットが現在、前記初期ネットワーク上でターゲット通信ユニットとの初期接続を有している間に提供する方法であって、
前記ワイヤレスローカルエリアネットワークのカバレージを検出すること、
前記カバレージが検出される場合、前記ターゲット通信ユニットにハンドイン要求を送信すること、
前記ワイヤレスローカルエリアネットワークを経由しての前記ターゲット通信ユニットとの新規接続を受け入れることであって、前記新規接続は前記ターゲット通信ユニットによって開始されること、及び
前記初期ネットワーク上の前記ターゲット通信ユニットとの前記初期接続を終了すること、
を含む、通信ユニットにハンドインを提供する方法。
【請求項２】
前記ワイヤレスローカルエリアネットワークのカバレージを検出した後、前記ワイヤレスローカルエリアネットワークに登録することであって、それによって前記通信ユニットが前記ワイヤレスローカルエリアネットワーク上で動作することができるかを判断することをさらに含む、請求項１に記載の方法。
【請求項３】
通信ユニットに初期ネットワークからワイヤレスローカルエリアネットワークへのハンドインを、ターゲット通信ユニットが現在、前記初期ネットワーク上で前記通信ユニットとの初期接続を有している間に提供する方法であって、
前記通信ユニットからハンドイン要求を受信すること、
前記ワイヤレスローカルエリアネットワークを経由して前記通信ユニットと新規３方向接続を開始すること、及び
前記通信ユニットとの前記初期接続を終了すること、
を含む、通信ユニットにハンドインを提供する方法。
【請求項４】
前記通信ユニットから前記ハンドイン要求を受信することは、トーンインバンドメッセージ、アウトバンド統合サービスデジタル通信網ユーザ間メッセージ、ショートメッセージングサービスアウトバンドメッセージ、パケットデータメッセージ、及びアウトバンドインターネットプロトコルメッセージのうちの１つを前記通信ユニットから受信することをさらに含む、請求項３に記載の方法。
【請求項５】
前記ワイヤレスローカルエリアネットワークを経由して前記通信ユニットと前記新規３方向接続を開始することは、前記通信ユニットに関連する一般企業番号を介して前記新規接続を開始することをさらに含む、請求項３に記載の方法。
【請求項６】
デュアルモード動作機能を有する通信ユニットであって、
第１のワイヤレスネットワーク上の別の通信ユニットとの初期接続をサポートする受信器及び送信器と、
前記受信器及び前記送信器に結合され、該受信器及び該送信器を制御して、前記初期接続を維持するとともに、前記別の通信ユニットからのメッセージの受信及び前記別の通信ユニットへのメッセージの送信の一方を行って第２のワイヤレスネットワークを経由する新規接続を実施するコントローラと、
を備える、デュアルモード動作機能を有する通信ユニット。
【請求項７】
前記コントローラに結合される前記受信器は、ワイヤレスローカルエリアネットワークのカバレージをさらに検出し、
前記送信器及び前記受信器は、前記コントローラにより制御され、前記ワイヤレスローカルエリアネットワークを経由しての前記他の通信ユニットとの新規接続を確立し、次いで前記他の通信ユニットとの前記初期接続を終了する、請求項６に記載の通信ユニット。
【請求項８】
前記送信器は、トーンインバンドメッセージ、アウトバンド統合サービスデジタル通信網ユーザ間メッセージ、ショートメッセージングサービスアウトバンドメッセージ、パケットデータメッセージ、及びアウトバンドインターネットプロトコルメッセージのうちの１つとして前記ハンドイン要求をさらに送信する、請求項７に記載の通信ユニット。
【請求項９】
前記受信器は、前記初期接続を介して前記別の通信ユニットからハンドイン要求をさらに受信する、請求項６に記載の通信ユニット。
【請求項１０】
前記送信器は、前記コントローラと協働して、前記別の通信ユニットに関連する一般企業番号にコンタクトをとることによって前記新規接続をさらに開始する、請求項９に記載の通信ユニット。
【発明の詳細な説明】
【技術分野】
【０００１】
本発明は、包括的には移動通信ユニット及び移動通信ネットワークに関し、より詳細には、このような移動通信ユニットにネットワーク間のハンドインを提供する方法及び装置に関する。
【背景技術】
【０００２】
企業サーバにより定義される粗結合ワイヤレスローカルエリアネットワーク（ＷＬＡＮ）は、高速ワイヤレスインターネットアクセス及び電話サービスに対する安価な代替、並びに他のリアルタイム用途をユーザに提供する。ユーザは、ワイヤレス通信ユニット（通信ユニットと呼ばれる）が、ＷＬＡＮ内にある（ＷＬＡＮのカバレージエリア内にあり、且つＷＬＡＮに登録されている）場合には、企業サーバを経由して音声通信及びデータ通信を提供し、ＷＬＡＮ外にある場合には、任意のセルラ広域ネットワーク（セルラネットワーク）等のセルラネットワークを経由して音声通信及びデータ通信を提供することができるような二重用途機能を有する通信ユニットを携帯することができる。
【発明の開示】
【０００３】
ユーザが、電話をしながら、たとえばセルラネットワークからＷＬＡＮへ移動する等、異なるネットワーク間で移動する場合、その呼を、通信ユニットサービスを中断させることなくＷＬＡＮにハンドインしなければならない。これは、必要な交換機器が、セルラネットワークに関連するセルラベースの転送サイトにあるため難しい。必要なのは、通信ユニットが異なるネットワーク間を移動するとき、通話中に通信ユニットにハンドインを提供する方法及び装置である。
【０００４】
同様の参照符号が同一又は機能的に同様の要素を表し、以下の詳細な説明と共に本明細書に組み込まれてその一部を成す添付図面は、好ましい一実施形態をさらに例示し、且つすべて本発明による各種原理及び利点を説明する役割を果たす。
【発明を実施するための最良の形態】
【０００５】
概観として、本開示は、セルラ電話又は双方向無線等、通信ユニットと呼ばれることの多いワイヤレス通信装置又はワイヤレス通信ユニット、又は具体的には、デュアルモード動作機能を有するユニット、並びに音声通信サービス及びデータ通信サービス等のサービスをこのような通信ユニットに提供する通信システムに関する。より具体的には、本発明の種々の概念及び原理は、異なるネットワーク間でのハンドインを通信ユニットに提供するシステム、通信ユニット、及び方法で具現される。通信ユニットは、本明細書では、ワイヤレス加入者装置又はワイヤレス加入者ユニットと同義で使用することができ、これら各用語は、普通、ユーザに関連付けられる装置、及び通常、サービス契約に従って公衆ネットワークで使用する、又は私設ネットワーク内で使用することができるワイヤレス移動装置を表すことに留意されたい。このような例としては、個人情報端末、パーソナルアサインメントパッド（personal assignment pads）、及びワイヤレス動作するように整えられたパーソナルコンピュータ、セルラハンドセット若しくはセルラハンドセット装置、又はその等価物が挙げられる。但し、このようなユニットは異なるネットワークで動作するように構成され構築されている。異なるネットワークは、セルラ広域ネットワーク及びワイヤレスローカルエリアネットワーク、又は第１及び第２のワイヤレスローカルエリアネットワークを指し得ることに留意されたい。
【０００６】
特に対象となる通信システム及び通信ユニットは、従来の双方向システム及び双方向装置、アナログセルラ及びデジタルセルラを含む各種セルラ電話システム、ＣＤＭＡ（符号分割多元アクセス）及びその変形、ＧＳＭ、ＧＰＲＳ（汎用パケット無線システム）、ＵＭＴＳ（ユニバーサル移動通信サービス）システム等の２．５Ｇシステム及び３Ｇシステム、ｉＤＥＮ（integrated digital enhanced network：統合デジタルエンハンストネットワーク）、及びその変形又は発展形等の広域ネットワーク（ＷＡＮ）を経由して音声通信サービス又はデータサービス若しくはメッセージングサービスを提供する、又はそれを推進することができるものである。さらに、対象となるワイヤレス通信ユニット又はワイヤレス通信装置は、好ましくはＣＤＭＡ、周波数ホッピング、又はＴＤＭＡアクセス技術、及びＴＣＰ／ＩＰ（伝送制御プロトコル／インターネットプロトコル）、ＩＰＸ／ＳＰＸ（パケット間交換／順次パケット交換）、ＮｅｔＢＩＯＳ（ネットワーク基本入出力システム）、又は他のプロトコル構造等の各種ネットワーキングプロトコルの１つ又は複数を利用する、ＩＥＥＥ８０２．１１、Ｂｌｕｅｔｏｏｔｈ、又はＨｉｐｅｒ−Ｌａｎ等のＷＬＡＮ機能と通常呼ばれる短距離通信機能を有する。
【０００７】
本開示は、本発明の１つ又は複数の実施形態を実施する最良の形態について、実施可能な程度に、さらに説明するために提供される。本開示は、本発明を任意の様式に限定するためにではなく、本発明の原理及び利点についての理解及び認識を深めるためにさらに提供される。本発明は、本出願の係属中に行われるあらゆる補正を含む添付の特許請求の範囲及び発行される特許請求の範囲のすべての等価物によってのみ規定される。
【０００８】
第１及び第２等の関係語が使用される場合は、単に或るエンティティ、アイテム、又はアクションを別のエンティティ、アイテム、又はアクションと区別するためにのみ使用され、必ずしもこのようなエンティティ、アイテム、又はアクションの間に実際にこのような関係又は順番があることを求める、又は暗示しないことをさらに理解されたい。
【０００９】
本発明の機能の大半及び本発明の原理の多くは、実施される場合、デジタル信号プロセッサ及びそのソフトウェア又は特定用途向けＩＣ等のソフトウェア又は集積回路（ＩＣ）を使用して、又はこれら内で最良にサポートされる。当業者は、たとえば、場合によっては多大な努力及び利用可能な時間、現行技術、及び経済的考慮事項により動機付けされる多くの設計選択肢にかかわらず、本明細書に開示する概念及び原理により導かれれば、最小の実験でこのようなソフトウェア命令又はＩＣを容易に生成することができると予期される。したがって、簡潔さ、並びに本発明による原理及び概念を曖昧にする危険性をいずれも極力小さくするために、このようなソフトウェア及びＩＣについてのさらなる説明は、もしあれば、好ましい実施形態に用いられる原理及び概念にとって重要な場合に限定される。
【００１０】
さらに後述するように、本発明の種々の原理及びその組み合わせは、通信ユニットがワイヤレスローカルエリアネットワークのカバレージを検出し、カバレージを検出した場合にターゲット通信ユニットにハンドイン要求を送信し、ターゲット通信ユニットからのワイヤレスローカルエリアネットワークを経由してのターゲット通信ユニットとの新規接続を受け入れ、且つ初期ネットワーク上のターゲット通信ユニットとの初期接続を終了することができるように有益に採用される。
【００１１】
これより図１を参照して、ワイヤレスローカルエリアネットワークにハンドインを提供する方法及び装置の好ましい一実施形態が実施される簡略化された代表的な環境又はシステムについて考察し説明する。システムは概して、ワイヤレスローカルエリアネットワーク（ＷＬＡＮ）１１とワイヤレス又はセルラ広域ネットワーク（ＷＡＮ）の間で移動している第１の通信ユニット１０を示す。ＷＬＡＮ１１及びＷＬＡＮ１１でのサービスは、複数のアクセスポイント１５に結合された企業サーバ１４によって提供される。ＷＡＮ及びＷＡＮでのサービスは、移動交換センタ（ＭＳＣ）（図示せず）と共に複数のセルラベースの送信基地により提供され、そのうち１つ（ＢＴＳ）１６を示す。通信ユニット１０は、１２で概して示され、且つターゲット通信ユニットと呼ぶ別の通信ユニットとコンタクトをとっている。ターゲット通信ユニット１２は異なるＢＴＳ２０からＷＡＮサービスを得ており、異なるＢＴＳ２０は、既知の公衆交換電話網（ＰＳＴＮ）１８等の公衆交換網を経由して第１のＢＴＳ１６、ひいては通信ユニット１０に接続されている。
【００１２】
図２を参照して、両方とも異なるネットワーク間でのハンドインを実施するように構成されている第１の通信ユニット１０並びにターゲット通信ユニット１２の好ましい一実施形態のブロック図について考察し説明する。各通信ユニット１０、１２は、無線周波信号の吸収及び放射を行うように動作する第１のアンテナ２０１を備える。ＷＬＡＮ、たとえば企業サーバ１４に結合されたアクセスポイント１５のうちの１つ（又はＬＡＮ送受信器）から送信された無線信号は、第１のアンテナにより吸収され、ＷＬＡＮ受信器（又は受信装置）２０３に伝えられる。ＷＬＡＮ送信器（又は送信装置）２０７により増幅されアンテナに伝えられた信号は、既知のようにアクセスポイント１５、ひいては企業サーバ１４に放射、送信、又は送られる。ＷＬＡＮ受信器２０３及びＷＬＡＮ送信器２０７は、好ましくは、図示のように相互結合され、これもまた既知のように、コントローラ２０５と協働し、コントローラ２０５により制御されて、音声トラフィック、データメッセージ、又はそれに対応する信号をコントローラ２０５に提供する、又はそれらをコントローラ２０５から受け入れる、若しくは受け取る既知のＩＥＥＥ８０２．１１互換装置である。
【００１３】
各通信ユニット１０、１２は、セルラＷＡＮから受信される、又はＷＡＮに送信又は送られるそれぞれの無線周波信号の吸収及び放射を行うように動作する第２のアンテナ２０２も備える。通信ユニット１０は、セルラＢＴＳ１６からの吸収された信号が伝えられるＷＡＮ受信器２０４、及び信号を増幅して、既知のようにアンテナ２０２によるセルラＢＴＳ１６等のセルラネットワークへの送信又は放射のためにその信号を提供するＷＡＮ送信器２０８も備える。ＷＡＮ受信器２０４及びＷＡＮ送信器２０８は、図示のように相互結合され、コントローラ２０５と協働し、コントローラ２０５により制御されて、既知のように、またＷＬＡＮ受信器２０３及びＷＬＡＮ送信器２０７と同様にして、音声トラフィック、データトラフィック、メッセージ、又はそれに対応する信号をコントローラ２０５に提供し、又はそれらをコントローラ２０５から受け入れる、若しくは受け取る。
【００１４】
したがって、ＷＬＡＮ受信器２０３及びＷＬＡＮ送信器２０７、及びＷＡＮ受信器２０４及びＷＡＮ送信器２０８は、コントローラにより制御され、コントローラと協働して、デュアル動作モード機能を有する通信ユニット１０を提供するように機能する。より具体的には、各通信ユニット１０、１２は、たとえば家庭セルラシステム及び対応するＢＴＳ１６又はＢＴＳ２０により提供されるセルラＷＡＮ、並びに企業サーバ１４により提供されるＷＬＡＮ１１からのサービスに登録してそのサービスを得ることができる。しかし、通信ユニット１０はオプションとして、セルラＷＡＮ及びＷＬＡＮの両方とインタフェースするのに適し、且つこれら両方とインタフェースするように適合可能な１つのみの受信器及び送信器を有してもよい。
【００１５】
コントローラ２０５は、既知の様式で、スピーカ又はイヤホン２０９、マイクロホン２１１、ディスプレイ２１３、並びにトークキー２１７及びレスポンスキー２１９を含むキーボード２１５又はキーのセットと共に結合され、これらにおいて動作してユーザインタフェースを提供する。キーボードは、既知の物理的なキーボードであっても、又はディスプレイ２１３の一部である仮想キーボードであってもよく、ディスプレイ２１３もまた既知であり、液晶ディスプレイ等であってもよい。キーが仮想キーボードの一部である場合、ディスプレイ２１３は、情報をコントローラ２０５に伝達するためにタッチセンシティブ等である必要がある。同様に、スピーカ又はイヤホン、マイクロホン、及び振動装置等の警告装置（図示せず）が既知であり、広く入手可能である。
【００１６】
コントローラ２０５は本質的に、汎用プロセッサであり、好ましくは、音声／データプロセッサ２２１及び関連するメモリソース２２３を備える。音声／データプロセッサ２２１は、好ましくは、企業サーバ１４及びセルラＷＡＮとのエアインタフェース、並びに音声トラフィック及びデータトラフィックの各種ネットワークプロトコルの詳細に依存する機能を有する既知のプロセッサベースの要素である。プロセッサ２２１は、音声メッセージ及びデータメッセージのエンコード及びデコードを行うように動作して、それにより、変換器又はコントローラ２０５によるさらなる処理に適した信号を提供する。プロセッサ２２１は、概して既知であり、本明細書に関係のない特定のエアインタフェース技術に依存するＷＡＮ及びＷ−ＬＡＮの信号処理責務に関するコントローラの責任に応じて、１つ又は複数のマイクロプロセッサ、デジタル信号プロセッサ、及び他の集積回路を含むことができる。いずれにせよ、コントローラ２０５は、既知のＲＡＭ、ＲＯＭ、ＥＥＰＲＯＭ、又は磁気メモリの組み合わせであってもよいメモリソース２２３も備える。
【００１７】
メモリソース２２３は、各種他のアイテム又はソフトウェアプログラム等の中でも特に、ＷＬＡＮカバレージの検出、カバレージが検出された場合、ターゲット通信ユニットへの、又は通信ユニットからのハンドイン要求の送受信、ターゲット通信ユニットから送信されたＷＬＡＮを経由してのターゲット通信ユニットへの新規接続の受け入れ、及び適宜、初期ネットワーク上でのターゲット通信ユニットとの初期接続の終了のうちの１つ又は複数を推進する、又は実行するハンドイン手順又は処理ルーチン２２５を記憶するために使用される。メモリソース２２３はまた、既知のようにデータ及び変数を有するオペレーティングシステム２２７、ＷＬＡＮ１１を経由して通信する際に主に使用される企業番号すなわち一般番号２３１、セルラＷＡＮを経由して通信する際に主に使用されるセルラ番号すなわち個人番号２２９、及び通信ユニット１０が異なるネットワークに登録し、そのネットワークを介して他の各種ユニット又は装置と通信できるようにするデュアルモード動作ルーチン２３３を記憶するためにも使用される。
【００１８】
上記ルーチンは、コントローラ又はコントローラ内に備えられるプロセッサにより実行されると、コントローラ２０５が、受信器及び送信器、特にＷＬＡＮ受信器２０３及びＷＡＮ受信器２０４、及びＷＬＡＮ送信器２０７及びＷＡＮ送信器２０８、スピーカ２０９、マイクロホン２１１、ディスプレイ２１３、キーボード２１５等を含むユーザインタフェースとインタフェースする等、通信装置１０の必要機能を実行する機械可読コード又はソフトウェア命令であり、多すぎて記すことができないが、特定の通信ユニットから当業者には明らかな他の各種ルーチン２３５を含む。このリストは、ハンドインを提供するにあたって必要になる、又は有利である例示的なルーチンを簡潔に列挙したものにすぎず、他にルーチン及びオプションのアプリケーションを上述したメモリに記憶してもよいことを読み手は理解しよう。ハンドイン手順２２５により提供又は推進される機能については、より詳細に後述する。
【００１９】
ＷＬＡＮ送信器２０７は、ターゲットユニットがＢＴＳ２０を通して動作しているとき、ＷＬＡＮ、企業サーバ１４、及びＰＳＴＮ１８を介して、コントローラ２２１により形成された信号、たとえばインバンド（帯域内）又はアウトバンド（帯域外）メッセージ並びに他のメッセージを表す信号をターゲット通信ユニット１２に送信するように構成される。コントローラ２０５は、送信器２０７に結合され、メモリソース２２３内のハンドイン手順２２５等に従って動作し、信号を送信器２０７に転送する。
【００２０】
ＷＬＡＮ受信器２０３は、信号、たとえば、通信ユニットの一般企業番号２３１にアドレス指定された、ＷＬＡＮ１１を経由しての企業サーバ１４からの呼、又は企業サーバ１４からのセッション開始プロトコルメッセージを受信するように構成される。コントローラ２０５は、ＷＬＡＮ受信器２０３及びＷＬＡＮ送信器２０７に結合され、ハンドイン手順２２５に従って動作し、通信ユニット１０が、好ましくはＷＡＮ受信器２０４及びＷＡＮ送信器２０８により推進されるセルラＷＡＮを介して、ターゲット通信ユニット１２との初期接続を現在有しているワイヤレスローカルエリアネットワーク１１のカバレージを検出し、初期接続を介してターゲット通信ユニット１２にハンドイン要求を送信し、ターゲットユニットによりトリガされる企業サーバ１４からのＳＩＰ  ＩＮＶＩＴＥメッセージに応答して、ワイヤレスローカルエリアネットワーク１１を経由してのターゲット通信ユニット１２との新規接続を開始又は登録して確立し、次いでターゲット通信ユニット１２との初期接続並びに他のタスクを終了する。
【００２１】
図１を参照すると、複数のアクセスポイント１５はそれぞれ、ＩＥＥＥ８０２．１１規格に準拠することが好ましい従来のワイヤレス送受信器である。企業サーバ１４は、好ましくは、複数のアクセスポイント１５と併せて、ＷＬＡＮ１１を提供するとともに、事業拠点等の企業の有線ネットワークをサポートするコンピュータベースのサーバである。企業サーバ１４は、企業サーバ１４内の内部電話システムとして機能して、呼を内部ユーザ間で交換するとともに、既知のようにＰＳＴＮ１８を介して、ユーザが外部ＩＰネットワークを使用して外部と通信できるようにするボイスオーバインターネットプロトコル（ＶｏＩＰ）パケットデータ通信及びインターネットプロトコル構内交換（ＩＰ  ＰＢＸ）のためのプロトコルを提供するパケットデータベースの接続をセットアップするセッション開始プロトコルエンティティを含む。
【００２２】
図３を参照して、セルラＷＡＮからＷＬＡＮへのハンドインを提供する方法について、図１及び図２に示す参照符号も参照しながら考察する。この方法を図２の通信ユニットを使用して実施するものとして説明するが、これは説明のためであり、他の構造もこの方法の実施に適していることを理解されたい。方法は、通信ユニット１０（ＣＵとして示す）が現在、セルラＢＴＳ１６を介してセルラＷＡＮ（又は初期ネットワーク）を経由してのターゲット通信ユニット１２（図３にＴＣＵとして示す）との初期接続を有しているときに３０２において開始される。
【００２３】
３０４において、通信ユニット１０は、ＷＬＡＮ１１のカバレージエリア内へ、又はその範囲内に、たとえば対応する建造物内に歩を進めて移動し、それにしたがってＷＬＡＮカバレージ１１を検出する。ＷＬＡＮカバレージ１１は、好ましくは、コントローラ２０７と併せてＷＬＡＮ受信器２０３により検出される。
【００２４】
３０６において、通信ユニット１０は、ＷＬＡＮ１１により提供されるサービスをアクセスポイントと共に提供し、且つ推進する企業サーバ１４に登録して、通信ユニット１０がＷＬＡＮ１１上で動作することができるかを判断する。これは、好ましくは、通信ユニット１０が、既知のようにＳＩＰ登録を企業サーバ１４内のＳＩＰエンティティに送信することによって実現される。登録は、好ましくは、ハンドイン手順２２５により生成され、且つＷＬＡＮ送信器２０７により企業サーバ１４内のＳＩＰエンティティに送信されるＳＩＰメッセージである。
【００２５】
３０８において、通信ユニット１０は、登録が受信されたことを示す肯定応答を企業サーバ１４内のＳＩＰエンティティから受信する。肯定応答は、アクセスポイント１５の１つを介してＷＬＡＮ受信器２０３により受信され、コントローラ２０５によりハンドイン手順２２５に従って処理される。
【００２６】
３１０において、通信ユニット１０は、ハンドイン要求をターゲット通信ユニット１２に送信する。ハンドイン要求は、ハンドイン手順２２５により生成され、且つＷＡＮ送信器２０８によりセルラＷＡＮを介してターゲット通信ユニット１２に直接送信されるインバンド又はアウトバンドメッセージである。より具体的には、ハンドイン要求は、既知のトーン又はＤＴＭＦインバンドメッセージ（たとえば、音声帯域内の）、アウトバンドＩＳＤＮユーザ間メッセージ、ＳＭＳアウトバンドメッセージ、パケットデータメッセージ、又はアウトバンドインターネットプロトコルメッセージであってもよい。
【００２７】
３１２において、ターゲット通信ユニット１２は、通信ユニット１０とのＷＬＡＮ１１を経由する新規接続を開始する。より具体的には、ターゲット通信ユニット１２は、３０２において考察した初期呼がまだ継続しているときに、ＷＬＡＮ通信に主に使用される通信ユニットの一般企業電話番号２３１に３方向通話（three-way call）の電話を掛ける。これは、これもまたハンドイン手順２２５に従って動作しているコントローラ２０５により制御されるＷＬＡＮ送信器２０７によりターゲット通信ユニットにおいて行われる。結果として、企業サーバ１４におけるＩＰ  ＰＢＸは、ターゲット通信ユニット１２から呼を受信し、ＷＬＡＮ１１を経由して送信勧誘メッセージ、好ましくＳＩＰ  ＩＮＶＩＴＥメッセージを通信ユニット１０に送信して、通信ユニット１０に新規接続、ひいては、ここではターゲット通信ユニットとの３方向通話を通知する。
【００２８】
３１４において、通信ユニット１０のＷＬＡＮ受信器２０３は送信勧誘メッセージを受信する。３１６において、通信ユニット１０は送信勧誘メッセージを受け入れる。ハンドイン手順２２５は肯定応答を生成し、この肯定応答はＷＬＡＮ送信器２０６によりＩＰ  ＰＢＸに送信される。より一般的には、３１６において、通信ユニット１０は、ターゲット通信ユニット１２からの、ＷＬＡＮを経由してのターゲット通信ユニット１２との新規接続（３方向通話）を受け入れる。
【００２９】
３１８において、通信ユニット１０とターゲット通信ユニット１２との新規接続が確立される。より具体的には、新規接続は、通信ユニット１０と企業サーバ１４におけるＩＰ  ＰＢＸの間のリンク、ＩＰ  ＰＢＸからＰＳＴＮ１８へのリンク、及びＰＳＴＮ１８からＢＴＳ２０、ひいてはターゲット通信ユニット１２へのリンクを含む。
【００３０】
３２０において、通信ユニット１０は、ハンドイン手順２２５に従って動作し、初期ネットワーク（ＷＡＮ経由）上のターゲット通信ユニット１２との初期接続を終了する。３２２において、ターゲット通信ユニット１２は、これもまたハンドイン手順２２５に従って動作し、通信ユニット１０との初期接続を終了する。より具体的には、ターゲット通信ユニット１２は、ＰＳＴＮ１８への初期の接続リンクを終了し、方法は終了する。
【００３１】
したがって、本発明は、ＷＡＮからＷＬＡＮへのハンドインを提供する新規の装置及び方法を提供する。装置は、デュアルモード動作機能及び通信ユニットのメモリに含まれるハンドイン手順を有する通信ユニットを含む。通信ユニットは、好ましくは、ＷＡＮ受信器及びＷＡＮ送信器、ＷＬＡＮ受信器及びＷＬＡＮ送信器、並びにデュアルモード動作機能を提供するためのデュアルモード動作ルーチンを含む。しかし、通信ユニットは、デュアルモード動作ルーチンに従ってＷＡＮ及びＷＬＡＮの両方で動作可能な単一の受信器及び送信器を備えてもよい。
【００３２】
ハンドイン手順に従って動作する通信ユニット又はコントローラは、ＷＬＡＮカバレージが検出される場合にターゲット通信ユニットにハンドイン要求を送信し、ＷＬＡＮを経由してのターゲット通信ユニットとの新規接続を受け入れ、且つ初期ネットワーク上のターゲット通信ユニットとの初期接続を終了する。
【００３３】
ハンドイン手順に従って動作するターゲット通信ユニット、又はコントローラは、通信ユニットからハンドイン要求を受信し、ワイヤレスローカルエリアネットワークを経由しての通信ユニットとの新規接続を開始し、且つ通信ユニットとの初期接続を終了する。
【００３４】
初期接続は、ＷＡＮ又は第１のＷＬＡＮへの接続であってもよい。新規接続は、第１のＷＬＡＮ又は第２のＷＬＡＮであってもよい。換言すれば、ハンドインは、ＷＡＮからＷＬＡＮに、又は第１のＷＬＡＮから第２のＷＬＡＮへのものであってもよい。
【００３５】
したがって、別の通信ユニットとの第１のワイヤレスネットワーク上の初期接続をサポートするための受信器及び送信器、並びに受信器及び送信器に結合されてこれらを制御し、初期接続を維持するとともに、その他の通信ユニットからメッセージを受信又はその他の通信ユニットにメッセージを送信して第２のワイヤレスネットワークを経由する新規接続を行い、それによって或るネットワークから別のネットワークへのハンドインを推進するコントローラを備え、デュアルモード動作機能を有する新規且つ独創的な通信ユニットについて説明するとともに考察した。
【００３６】
通信ユニット１０及びターゲット通信ユニット１２内で実施されるこの新規の装置及び方法は、多くの利点をもたらす。ハンドインは主に、通信ユニット１０とターゲット通信ユニット１２の間で行われる。したがって、この方法を利用するシステムは、企業サーバに機器を追加する必要がなく、そのため、従来の手法よりも費用効率的である。さらに、この方法はＩＰ−ＰＢＸベンダーを超えて再使用可能である。
【００３７】
本開示は、真の意図する公正な本発明の範囲及び精神を限定するものではなく、本発明による各種実施形態をどのように構築し使用するかを説明することが意図される。上記説明は網羅的ではなく、本発明を開示する厳密な形態に限定するものではない。上記教示を鑑みて変更及び変形が可能である。実施形態（複数可）は、本発明の原理及びその実際の適用の最良の説明を提供し、当業者が本発明を意図する特定の用途に合うように各種実施形態で、また各種変更を施して利用することができるようにするために選択され説明されたものである。このような変更及び変形はすべて、公正で法的且つ公平に権利付与される範囲に従って解釈される場合、本特許出願への係属中に補正される可能性がある添付の特許請求の範囲及びそのすべての等価物によって定められる本発明の範囲内にある。
【図面の簡単な説明】
【００３８】
【図１】ワイヤレスローカルエリアネットワークへのハンドインを提供する方法及び装置が実施される例示的な環境を簡略化した代表的な形で示す図である。
【図２】異なるネットワーク間でのハンドインを提供するように構成された通信ユニットのブロック図である。
【図３】異なるネットワーク間でのハンドインを提供する方法の好ましい一実施形態のフローチャートである。
【図１】
2007525062.tif 000003
【図２】
2007525062.tif 000004
【図３】
2007525062.tif 000005
【国際調査報告】
2007525062.tif 000006